(57)【要約】【課題】  中央監視制御装置の保守点検時における、中央監視制御装置に接続された各設備機器制御装置での誤動作を簡易な操作で防止することができる設備監視制御装置を提供する。【解決手段】  設備機器を制御する制御信号を中央監視制御装置（ＨＩＳ）１から取得して設備機器に出力する制御信号出力モジュール（ＤＯ）１１３と、設備機器への制御信号の出力をロックする出力禁止信号をＨＩＳ１から取得すると電源が投入された状態に遷移するキープリレー１１５と、キープリレー１１５の電源が投入されると設備機器への制御信号の出力をロックさせるロック回路１１６と、キープリレー１１５に電源が投入された状態であることが検知されるとこの状態を示すキープリレー状態信号を生成してＨＩＳ１に通知するＤＩ１１２とを備える。【選択図】  図１
2009110071.tif 000002
【特許請求の範囲】
【請求項１】
施設内に設置された設備機器に接続されるとともに、複数の前記設備機器の状態を統括して監視および制御する中央監視制御装置に接続された設備機器制御装置において、
前記設備機器を制御する制御信号を前記中央監視制御装置から取得すると、この制御信号を前記設備機器に出力する制御信号出力モジュールと、
前記制御信号出力モジュールから前記設備機器への前記制御信号の出力をロックするための出力禁止信号を前記中央監視制御装置から取得すると、電源が投入された状態に遷移するキープリレーと、
前記キープリレーが電源が投入された状態に遷移すると、前記制御信号出力モジュールへ供給されていた電源を切断して前記設備機器への制御信号の出力をロックさせるロック回路と、
前記キープリレーに電源が投入されると閉路する第１状態入力回路と、
前記第１状態入力回路が閉路されると前記キープリレーに電源が投入された状態であることを示す第１の状態信号を生成し、前記キープリレーに電源が投入されたことにより前記設備機器への制御信号の出力がロックされたものと判断させるために前記中央監視制御装置に前記第１の状態信号を送信する状態信号入力モジュールと、
を備えることを特徴とする設備機器制御装置。
【請求項２】
前記ロック回路は、前記制御信号出力モジュールへ供給されていた電源が切断されると、電源が切断された状態に遷移する補助リレーを有し、
前記補助リレーの電源が切断されると閉路する第２状態入力回路をさらに有し、
前記状態信号入力モジュールは、前記第１状態入力回路が閉路されると前記キープリレーに電源が投入された状態であることを示す前記第１の状態信号を生成するとともに前記第２状態入力回路が閉路されると前記補助リレーの電源が切断された状態であることを示す第２の状態信号を生成し、前記キープリレーに電源が投入され且つ前記補助リレーの電源が切断されたことにより前記設備機器への制御信号の出力がロックされたものと判断させるために前記第１の状態信号および前記第２の状態信号を前記中央監視制御装置に送信する
ことを特徴とする請求項１に記載の設備機器制御装置。
【請求項３】
施設内に設置された複数の設備機器を制御する前記各設備機器に対応した設備機器制御装置に接続されるとともに、前記複数の設備機器の状態を統括して監視および制御する複数の中央監視制御装置にネットワークを介して接続された設備機器制御サーバにおいて、
一の前記中央監視制御装置において選択された前記設備機器制御装置から前記設備機器への制御信号の出力をロックするための出力禁止信号を、前記中央監視制御装置から取得すると前記選択された設備機器制御装置に送信し、前記選択された設備機器制御装置から前記設備機器への制御信号の出力のロックを解除するためのロック解除信号を、前記出力禁止信号の送信元である前記中央監視制御装置から取得すると前記設備機器制御装置に送信する信号送信部と、
前記信号送信部から送信した前記出力禁止信号または前記ロック解除信号に対応して前記設備機器制御装置から前記設備機器制御装置の状態を示す状態信号を受信したか否かに基づいて、前記設備機器制御装置から前記設備機器への制御信号の出力がロックされているか否かを判断するロック状態判断部と、
前記ロック状態判断部における判断結果を前記出力禁止信号または前記ロック解除信号の送信元である前記中央監視制御装置に送信するロック状態送信部と、
を備えることを特徴とする設備機器制御サーバ。
【請求項４】
施設内に設置された設備機器に接続されるとともに、複数の前記設備機器の状態を統括して監視および制御する中央監視制御装置に接続された設備機器制御装置が、
前記設備機器を制御する制御信号を前記中央監視制御装置から取得すると、この制御信号を前記設備機器に出力する制御信号出力ステップと、
前記制御信号出力ステップにおける前記設備機器への前記制御信号の出力をロックするための出力禁止信号を前記中央監視制御装置から取得すると、自装置内のキープリレーの電源を投入された状態に遷移させる第１遷移ステップと、
前記第１遷移ステップにおいて前記キープリレーの電源が投入された状態に遷移すると、前記制御信号出力ステップを実行させる制御信号出力モジュールに供給されていた電源を切断して前記設備機器への制御信号の出力をロックさせるロック処理ステップと、
前記キープリレーに電源が投入されると自装置内の第１状態入力回路を閉路する第１回路制御ステップと、
前記第１回路制御ステップにより前記第１状態入力回路が閉路されると、前記キープリレーに電源が投入された状態であることを示す第１の状態信号を生成し、前記キープリレーに電源が投入されたことにより前記設備機器への制御信号の出力がロックされたものと判断させるために前記第１の状態信号を前記中央監視制御装置に送信する状態信号入力ステップと、
を備えることを特徴とする設備機器制御方法。
【請求項５】
前記ロック処理ステップでは、前記制御信号出力モジュールへ供給されていた電源が切断されると自装置内の補助リレーの電源を切断した状態に遷移させ、
前記補助リレーの電源が切断されると自装置内の第２状態入力回路を閉路する第２回路制御ステップをさらに有し、
前記状態信号入力ステップでは、前記第１状態入力回路が閉路されたときに前記キープリレーに電源が投入された状態であることを示す前記キープリレー状態信号を生成するとともに前記第２状態入力回路が閉路されたときにこの補助リレーの電源が切断された状態であることを示す第２の状態信号を生成し、前記キープリレーに電源が投入され且つ前記補助リレーの電源が切断されたことにより前記設備機器への制御信号の出力がロックされたものと判断させるために前記第１の状態信号および前記第２の状態信号を前記中央監視制御装置に送信する
ことを特徴とする請求項４に記載の設備機器制御方法。
【請求項６】
施設内に設置された複数の設備機器を制御する前記各設備機器に対応した設備機器制御装置に接続されるとともに、前記複数の設備機器の状態を統括して監視および制御する複数の中央監視制御装置にネットワークを介して接続された設備機器制御サーバが、
一の前記中央監視制御装置において選択された前記設備機器制御装置から前記設備機器への制御信号の出力をロックするための出力禁止信号を、前記中央監視制御装置から取得すると前記選択された設備機器制御装置に送信し、前記選択された設備機器制御装置から前記設備機器への制御信号の出力のロックを解除するためのロック解除信号を、前記出力禁止信号の送信元である前記中央監視制御装置から取得すると前記設備機器制御装置に送信する信号送信ステップと、
前記信号送信ステップで送信した前記出力禁止信号または前記ロック解除信号に対応して前記設備機器制御装置から前記設備機器制御装置の状態を示す状態信号を受信すると、この状態信号に基づいて前記設備機器制御装置から前記設備機器への制御信号の出力がロックされているか否かを判断するロック状態判断ステップと、
前記ロック状態判断ステップにおける判断結果を前記出力禁止信号または前記ロック解除信号の送信元である前記中央監視制御装置に送信するロック状態送信ステップと、
を備えることを特徴とする設備機器制御方法。
【請求項７】
施設内に設置された設備機器を制御する設備機器制御装置と、この設備機器制御装置に接続された設備機器制御サーバと、この設備機器制御サーバにネットワークを介して接続された複数の前記設備機器の状態を統括して監視および制御する複数の中央監視制御装置とを備えた設備監視制御システムにおいて、
前記設備機器制御サーバは、
前記設備機器に対する制御信号をいずれかの前記中央監視制御装置から取得すると当該設備機器に接続された設備機器制御装置に送信し、前記設備機器に対する制御信号の出力をロックするための出力禁止信号を、いずれかの前記中央監視制御装置から取得すると当該設備機器に接続された設備機器制御装置に送信し、前記設備機器に対する制御信号の出力のロックを解除するためのロック解除信号を、前記出力禁止信号の送信元である前記中央監視制御装置から取得すると当該設備機器に接続された前記設備機器制御装置に送信する信号送信部と、
前記信号送信部から送信した前記出力禁止信号または前記ロック解除信号に対応して前記設備機器制御装置から前記設備機器制御装置の状態を示す状態信号が受信されたか否かに基づいて、前記設備機器制御装置から前記設備機器への制御信号の出力がロックされているか否かを判断するロック状態サーバ判断部と、
前記ロック状態サーバ判断部における判断結果を前記出力禁止信号または前記ロック解除信号の送信元である前記中央監視制御装置に送信するロック状態送信部と、
を有し、
前記設備機器制御装置は、
前記設備機器を制御する制御信号を前記設備機器制御サーバの前記信号送信部から取得すると、この制御信号を前記設備機器に出力する制御信号出力モジュールと、
前記出力禁止信号を前記設備機器制御サーバから取得すると電源が投入された状態に遷移し、前記ロック解除信号を前記設備機器制御サーバから取得すると電源が切断された状態に遷移するキープリレーと、
前記キープリレーの電源が投入された状態に遷移すると前記制御信号出力モジュールへ供給されていた電源を切断して前記設備機器への制御信号の出力をロックさせ、前記キープリレーの電源が切断された状態に遷移すると前記制御信号出力モジュールへの電源を投入して前記設備機器への制御信号の出力を可能にするロック回路と、
前記キープリレーに電源が投入されると閉路する第１状態入力回路と、
前記第１状態入力回路が閉路されるとこのキープリレーに電源が投入された状態であることを示す第１の状態信号を生成して前記キープリレーに電源が投入されたことにより前記設備機器への制御信号の出力がロックされたものと判断させるために前記設備機器制御サーバに送信する状態信号入力モジュールと、
を有する
ことを特徴とする設備監視制御システム。
【請求項８】
前記ロック回路は、前記制御信号出力モジュールへ供給されていた電源が切断されると、電源が切断された状態に遷移する補助リレーを有し、
前記設備機器制御装置は、前記補助リレーの電源が切断されると閉路する第２状態入力回路をさらに有し、
前記状態信号入力モジュールは、前記第１状態入力回路が閉路されると前記キープリレーに電源が投入された状態であることを示す前記キープリレー状態信号を生成するとともに前記第２状態入力回路が閉路されると前記補助リレーの電源が切断された状態であることを示す補助リレー状態信号を生成し、前記キープリレーに電源が投入され且つ前記補助リレーの電源が切断されたことにより前記設備機器への制御信号の出力がロックされたものと判断させるために前記キープリレー状態信号および前記補助リレー状態信号を前記設備機器制御サーバに送信する
ことを特徴とする請求項７に記載の設備監視制御システム。
【請求項９】
施設内に設置された設備機器を制御する複数の設備機器制御装置と、これらの設備機器制御装置のいずれかに接続された複数の設備機器制御サーバと、これらの設備機器制御サーバにネットワークを介して接続された複数の前記設備機器の状態を統括して監視および制御する複数の中央監視制御装置とを備えた設備監視制御システムにおいて、
前記複数の設備機器制御サーバの中の第１設備機器制御サーバは、
接続された前記設備機器に対する制御信号をいずれかの前記中央監視制御装置から取得すると当該設備機器に接続された設備機器制御装置に送信し、前記設備機器に対する制御信号の出力をロックするための出力禁止信号を、いずれかの前記中央監視制御装置から取得すると当該設備機器に接続された設備機器制御装置に送信し、前記設備機器に対する制御信号の出力のロックを解除するためのロック解除信号を、前記出力禁止信号の送信元である前記中央監視制御装置から取得すると当該設備機器に接続された前記設備機器制御装置に送信する第１制御信号送信部と、
前記信号送信部から送信した前記出力禁止信号または前記ロック解除信号に対応して前記設備機器制御装置から前記設備機器制御装置の状態を示す状態信号を受信したときには前記出力禁止信号または前記ロック解除信号の送信元である前記中央監視制御装置にこの状態信号を送信する第１状態信号送信部と、
を有し、
前記第１設備機器制御サーバに接続された第１設備機器制御装置は、
前記設備機器を制御する制御信号を前記設備機器制御サーバの前記信号送信部から取得すると、この制御信号を前記設備機器に出力する第１制御信号出力モジュールと、
前記出力禁止信号を前記設備機器制御サーバから取得すると電源が投入された状態に遷移し、前記ロック解除信号を前記設備機器制御サーバから取得すると電源が切断された状態に遷移するキープリレーと、
前記キープリレーの電源が投入された状態に遷移すると前記制御信号出力モジュールへ供給されていた電源を切断して前記設備機器への制御信号の出力をロックさせるとともに自装置内の補助リレーの電源を切断し、前記キープリレーの電源が切断された状態に遷移すると前記制御信号出力モジュールへの電源を投入して前記設備機器への制御信号の出力を可能にするとともに前記補助リレーの電源を投入する第１ロック回路と、
前記キープリレーに電源が投入されると閉路する第１状態入力回路と、
前記補助リレーの電源が切断されると閉路する第２状態入力回路と、
前記補助リレーの電源が切断されると閉路する第３状態入力回路と、
前記第１状態入力回路が閉路されると前記キープリレーに電源が投入された状態であることを示す前記第１の状態信号を生成するとともに前記第２状態入力回路が閉路されると前記補助リレーの電源が切断された状態であることを示す第２の状態信号を生成して前記第１設備機器制御サーバに送信する第１状態信号入力モジュールと、
を有し、
前記第１設備機器制御サーバとは異なり、前記複数の設備機器制御装置の中の第２設備機器制御装置に接続された第２設備機器制御サーバは、
接続された前記第２設備機器制御装置から前記第１設備機器制御装置の状態を示す状態信号を受信したときには前記出力禁止信号または前記ロック解除信号の送信元である前記中央監視制御装置にこの状態信号を送信する第２状態信号送信部
を有し、
前記第２設備機器制御装置は、
前記第３状態入力回路が閉路されると前記補助リレーの電源が切断された状態であることを示す第３の状態信号を生成して前記第２設備機器制御サーバに送信する第２状態信号入力モジュール
を有し、
前記中央監視制御装置は、
前記第１設備機器制御サーバの前記第１状態信号送信部から取得した第１の状態信号および第２の状態信号と、前記第２設備機器制御サーバの前記第２状態信号送信部から取得した第３の状態信号とを受信したときに、これらの状態信号に基づいて前記キープリレーに電源が投入され且つ前記補助リレーの電源が切断されたことにより前記設備機器への制御信号の出力がロックされたものと判断するロック状態中央判断部
を有する
ことを特徴とする設備監視制御システム。
【請求項１０】
施設内に設置された設備機器に接続されるとともに、複数の前記設備機器の状態を統括して監視および制御する中央監視制御装置に接続された設備機器制御装置に、
前記設備機器を制御する制御信号を前記中央監視制御装置から取得すると、この制御信号を前記設備機器に出力する制御信号出力機能と、
前記制御信号出力機能における前記設備機器への前記制御信号の出力をロックするための出力禁止信号を前記中央監視制御装置から取得すると、自装置内のキープリレーの電源を投入された状態に遷移させる第１遷移機能と、
前記第１遷移機能において前記キープリレーの電源が投入された状態に遷移すると、前記制御信号出力機能を実行させる制御信号出力モジュールに供給されていた電源を切断して前記設備機器への制御信号の出力をロックさせるロック処理機能と、
前記キープリレーに電源が投入されると自装置内の第１状態入力回路を閉路する第１回路制御機能と、
前記第１回路制御機能により前記第１状態入力回路が閉路されると、前記キープリレーに電源が投入された状態であることを示す第１の状態信号を生成し、前記キープリレーに電源が投入されたことにより前記設備機器への制御信号の出力がロックされたものと判断させるために前記第１の状態信号を前記中央監視制御装置に送信する状態信号入力機能と、
を実行させるための設備機器制御プログラム。
【請求項１１】
前記ロック処理機能では、前記制御信号出力モジュールへ供給されていた電源が切断されると自装置内の補助リレーの電源を切断した状態に遷移させ、
前記補助リレーの電源が切断されると自装置内の第２状態入力回路を閉路する第２回路制御機能をさらに有し、
前記状態信号入力機能では、前記第１状態入力回路が閉路されたときに前記キープリレーに電源が投入された状態であることを示す前記キープリレー状態信号を生成するとともに前記第２状態入力回路が閉路されたときにこの補助リレーの電源が切断された状態であることを示す第２の状態信号を生成し、前記キープリレーに電源が投入され且つ前記補助リレーの電源が切断されたことにより前記設備機器への制御信号の出力がロックされたものと判断させるために前記第１の状態信号および前記第２の状態信号を前記中央監視制御装置に送信する
ことを特徴とする請求項１０に記載の設備機器制御プログラム。
【請求項１２】
施設内に設置された複数の設備機器を制御する前記各設備機器に対応した設備機器制御装置に接続されるとともに、前記複数の設備機器の状態を統括して監視および制御する複数の中央監視制御装置にネットワークを介して接続された設備機器制御サーバに、
一の前記中央監視制御装置において選択された前記設備機器制御装置から前記設備機器への制御信号の出力をロックするための出力禁止信号を、前記中央監視制御装置から取得すると前記選択された設備機器制御装置に送信し、前記選択された設備機器制御装置から前記設備機器への制御信号の出力のロックを解除するためのロック解除信号を、前記出力禁止信号の送信元である前記中央監視制御装置から取得すると前記設備機器制御装置に送信する信号送信機能と、
前記信号送信機能で送信した前記出力禁止信号または前記ロック解除信号に対応して前記設備機器制御装置から前記設備機器制御装置の状態を示す状態信号を受信すると、この状態信号に基づいて前記設備機器制御装置から前記設備機器への制御信号の出力がロックされているか否かを判断するロック状態判断機能と、
前記ロック状態判断機能における判断結果を前記出力禁止信号または前記ロック解除信号の送信元である前記中央監視制御装置に送信するロック状態送信機能と、
を実行させるための設備機器制御プログラム。
【発明の詳細な説明】
【技術分野】
【０００１】
本発明は、オフィスビルや工場などの設備機器である負荷装置や開閉器の監視および制御を行う設備機器制御装置、設備機器制御サーバ、設備機器制御方法、設備監視制御システム、および制御機器制御プログラムに関する。
【背景技術】
【０００２】
オフィスビルや工場などの大規模な施設においては、電力供給設備として種々の機器が設置されている。
【０００３】
この電力供給設備として設置される機器には、電力会社からの特高電圧を供給用電圧に降下する変圧器、変圧器や負荷装置の保護および保守点検のための遮断機、断路器等の開閉器、これらの機器の電流、電圧、力率測定などに用いる計測器、および機器異常を検出する保護継電器などがある。
【０００４】
これらの装置の数は、施設の規模にもよるが、数百から数万に上る場合もある。
【０００５】
大規模な施設においてこのように多数の電源供給設備機器が設置されている場合、これらの機器の動作を制御する複数の機器制御装置と、この複数の機器制御装置を統括して監視・制御する中央監視制御装置がさらに設置されることにより、施設内の設備を管理するシステムが構成される。
【０００６】
このように構成された管理システムの一例として、特許文献１に記載のビル管理システムがある。
【０００７】
このビル管理システムでは、中央監視制御装置として機能する自立分散コントローラに、設備負荷を制御する制御用端末やセンサやスイッチ等の入力要素の状態を監視する監視用端末がネットワークを介して接続されることにより、施設内の設備負荷等の監視および制御を行っている。
【０００８】
このように施設内を監視制御するシステムを構築することにより、例えば中央監視制御装置において施設内に点在する各開閉器の開閉状態の監視信号、故障信号等を取り込むとともに開閉制御信号の出力や故障時の警報発令を行うことが可能であり、一括して施設内の多数の各設備機器を管理することができ、安定した電力供給を行うことができる。
【０００９】
また、これらの施設の各機器に対する保守・点検を行う際に、操作員が中央監視制御装置から遠隔操作を行うことにより、対象となる装置を無電圧、無電流状態に設定することができる。
【特許文献１】特開２００３−２８４１６０号公報
【発明の開示】
【発明が解決しようとする課題】
【００１０】
しかし、この中央監視制御装置自身の保守点検を行う場合、この中央監視制御装置の電源を遮断、再投入する必要があり、電源が再投入された際に末端の機器制御装置において誤動作が起こる可能性があるという問題があった。
【００１１】
この誤作動とは具体的には、受電用開閉器を制御する機器制御装置における初期化処理時の不備により起こる、予期せぬ電源の遮断等である。
【００１２】
予期せぬ電源の遮断等により停電が起こると、機器制御装置の位置によっては施設運用上の損害や電子機器（発電機、エレベータ等）のトラブル、火災など、設備だけでなく人命にも関わる大事故の発生原因にもなりかねないため、これらの電子機器や特高受電部など施設全体の電力供給に大きな影響を及ぼす部位に設置された設備制御装置では、特に信頼性および確実性が要求される。
【００１３】
そこで、中央監視制御装置の保守点検を行う際に、予め設備制御装置において外部から信号を受け付けないようにモードを切り替えることにより誤作動を確実に防止することができるが、このモードの切り替えは操作員が各設備制御装置の場所に行って手動で行わなければならず、手間がかかるという問題があった。
【００１４】
よって本発明の目的は、施設内の複数の設備機器制御装置を中央監視制御装置で統括して管理する管理システムにおいて、中央監視制御装置の保守点検時における各設備機器制御装置での誤動作を簡易な操作で防止することができる設備機器制御装置、設備機器制御サーバ、設備機器制御方法、設備監視制御システム、および制御機器制御プログラムを提供することである。
【課題を解決するための手段】
【００１５】
上記目的を達成するための本発明の設備機器制御装置は、施設内に設置された設備機器に接続されるとともに、複数の前記設備機器の状態を統括して監視および制御する中央監視制御装置に接続されたものであり、前記設備機器を制御する制御信号を前記中央監視制御装置から取得すると、この制御信号を前記設備機器に出力する制御信号出力モジュールと、前記制御信号出力モジュールから前記設備機器への前記制御信号の出力をロックするための出力禁止信号を前記中央監視制御装置から取得すると、電源が投入された状態に遷移するキープリレーと、前記キープリレーが電源が投入された状態に遷移すると、前記制御信号出力モジュールへ供給されていた電源を切断して前記設備機器への制御信号の出力をロックさせるロック回路と、前記キープリレーに電源が投入されると閉路する第１状態入力回路と、前記第１状態入力回路が閉路されると前記キープリレーに電源が投入された状態であることを示す第１の状態信号を生成し、前記キープリレーに電源が投入されたことにより前記設備機器への制御信号の出力がロックされたものと判断させるために前記中央監視制御装置に前記第１の状態信号を送信する状態信号入力モジュールとを備えることを特徴とする。
【００１６】
また、この設備機器制御装置は、前記ロック回路が前記制御信号出力モジュールへ供給されていた電源が切断されると、電源が切断された状態に遷移する補助リレーを有し、前記補助リレーの電源が切断されると閉路する第２状態入力回路をさらに有し、前記状態信号入力モジュールは、前記第１状態入力回路が閉路されると前記キープリレーに電源が投入された状態であることを示す前記第１の状態信号を生成するとともに前記第２状態入力回路が閉路されると前記補助リレーの電源が切断された状態であることを示す第２の状態信号を生成し、前記キープリレーに電源が投入され且つ前記補助リレーの電源が切断されたことにより前記設備機器への制御信号の出力がロックされたものと判断させるために前記第１の状態信号および前記第２の状態信号を前記中央監視制御装置に送信するようにしてもよい。
【００１７】
また、本発明の設備機器制御サーバは、施設内に設置された複数の設備機器を制御する前記各設備機器に対応した設備機器制御装置に接続されるとともに、前記複数の設備機器の状態を統括して監視および制御する複数の中央監視制御装置にネットワークを介して接続されたものであり、一の前記中央監視制御装置において選択された前記設備機器制御装置から前記設備機器への制御信号の出力をロックするための出力禁止信号を、前記中央監視制御装置から取得すると前記選択された設備機器制御装置に送信し、前記選択された設備機器制御装置から前記設備機器への制御信号の出力のロックを解除するためのロック解除信号を、前記出力禁止信号の送信元である前記中央監視制御装置から取得すると前記設備機器制御装置に送信する信号送信部と、前記信号送信部から送信した前記出力禁止信号または前記ロック解除信号に対応して前記設備機器制御装置から前記設備機器制御装置の状態を示す状態信号を受信したか否かに基づいて、前記設備機器制御装置から前記設備機器への制御信号の出力がロックされているか否かを判断するロック状態判断部と、前記ロック状態判断部における判断結果を前記出力禁止信号または前記ロック解除信号の送信元である前記中央監視制御装置に送信するロック状態送信部とを備える。
【００１８】
また、本発明の設備機器制御方法は、施設内に設置された設備機器に接続されるとともに、複数の前記設備機器の状態を統括して監視および制御する中央監視制御装置に接続された設備機器制御装置が、前記設備機器を制御する制御信号を前記中央監視制御装置から取得すると、この制御信号を前記設備機器に出力する制御信号出力ステップと、前記制御信号出力ステップにおける前記設備機器への前記制御信号の出力をロックするための出力禁止信号を前記中央監視制御装置から取得すると、自装置内のキープリレーの電源を投入された状態に遷移させる第１遷移ステップと、前記第１遷移ステップにおいて前記キープリレーの電源が投入された状態に遷移すると、前記制御信号出力ステップを実行させる制御信号出力モジュールに供給されていた電源を切断して前記設備機器への制御信号の出力をロックさせるロック処理ステップと、前記キープリレーに電源が投入されると自装置内の第１状態入力回路を閉路する第１回路制御ステップと、前記第１回路制御ステップにより前記第１状態入力回路が閉路されると、前記キープリレーに電源が投入された状態であることを示す第１の状態信号を生成し、前記キープリレーに電源が投入されたことにより前記設備機器への制御信号の出力がロックされたものと判断させるために前記第１の状態信号を前記中央監視制御装置に送信する状態信号入力ステップと、を備えることを特徴とする。
【００１９】
また、この設備機器制御方法は、前記ロック処理ステップでは、前記制御信号出力モジュールへ供給されていた電源が切断されると自装置内の補助リレーの電源を切断した状態に遷移させ、前記補助リレーの電源が切断されると自装置内の第２状態入力回路を閉路する第２回路制御ステップをさらに有し、前記状態信号入力ステップでは、前記第１状態入力回路が閉路されたときに前記キープリレーに電源が投入された状態であることを示す前記キープリレー状態信号を生成するとともに前記第２状態入力回路が閉路されたときにこの補助リレーの電源が切断された状態であることを示す第２の状態信号を生成し、前記キープリレーに電源が投入され且つ前記補助リレーの電源が切断されたことにより前記設備機器への制御信号の出力がロックされたものと判断させるために前記第１の状態信号および前記第２の状態信号を前記中央監視制御装置に送信するようにしてもよい。
【００２０】
また、本発明の別の形態の設備機器制御方法は、施設内に設置された複数の設備機器を制御する前記各設備機器に対応した設備機器制御装置に接続されるとともに、前記複数の設備機器の状態を統括して監視および制御する複数の中央監視制御装置にネットワークを介して接続された設備機器制御サーバが、一の前記中央監視制御装置において選択された前記設備機器制御装置から前記設備機器への制御信号の出力をロックするための出力禁止信号を、前記中央監視制御装置から取得すると前記選択された設備機器制御装置に送信し、前記選択された設備機器制御装置から前記設備機器への制御信号の出力のロックを解除するためのロック解除信号を、前記出力禁止信号の送信元である前記中央監視制御装置から取得すると前記設備機器制御装置に送信する信号送信ステップと、前記信号送信ステップで送信した前記出力禁止信号または前記ロック解除信号に対応して前記設備機器制御装置から前記設備機器制御装置の状態を示す状態信号を受信すると、この状態信号に基づいて前記設備機器制御装置から前記設備機器への制御信号の出力がロックされているか否かを判断するロック状態判断ステップと、前記ロック状態判断ステップにおける判断結果を前記出力禁止信号または前記ロック解除信号の送信元である前記中央監視制御装置に送信するロック状態送信ステップとを備えることを特徴とする。
【００２１】
また、本発明の設備監視制御システムは、施設内に設置された設備機器を制御する設備機器制御装置と、この設備機器制御装置に接続された設備機器制御サーバと、この設備機器制御サーバにネットワークを介して接続された複数の前記設備機器の状態を統括して監視および制御する複数の中央監視制御装置とを備えたものであり、前記設備機器制御サーバは、前記設備機器に対する制御信号をいずれかの前記中央監視制御装置から取得すると当該設備機器に接続された設備機器制御装置に送信し、前記設備機器に対する制御信号の出力をロックするための出力禁止信号を、いずれかの前記中央監視制御装置から取得すると当該設備機器に接続された設備機器制御装置に送信し、前記設備機器に対する制御信号の出力のロックを解除するためのロック解除信号を、前記出力禁止信号の送信元である前記中央監視制御装置から取得すると当該設備機器に接続された前記設備機器制御装置に送信する信号送信部と、前記信号送信部から送信した前記出力禁止信号または前記ロック解除信号に対応して前記設備機器制御装置から前記設備機器制御装置の状態を示す状態信号が受信されたか否かに基づいて、前記設備機器制御装置から前記設備機器への制御信号の出力がロックされているか否かを判断するロック状態サーバ判断部と、前記ロック状態サーバ判断部における判断結果を前記出力禁止信号または前記ロック解除信号の送信元である前記中央監視制御装置に送信するロック状態送信部とを有し、前記設備機器制御装置は、前記設備機器を制御する制御信号を前記設備機器制御サーバの前記信号送信部から取得すると、この制御信号を前記設備機器に出力する制御信号出力モジュールと、前記出力禁止信号を前記設備機器制御サーバから取得すると電源が投入された状態に遷移し、前記ロック解除信号を前記設備機器制御サーバから取得すると電源が切断された状態に遷移するキープリレーと、前記キープリレーの電源が投入された状態に遷移すると前記制御信号出力モジュールへ供給されていた電源を切断して前記設備機器への制御信号の出力をロックさせ、前記キープリレーの電源が切断された状態に遷移すると前記制御信号出力モジュールへの電源を投入して前記設備機器への制御信号の出力を可能にするロック回路と、前記キープリレーに電源が投入されると閉路する第１状態入力回路と、前記第１状態入力回路が閉路されるとこのキープリレーに電源が投入された状態であることを示す第１の状態信号を生成して前記キープリレーに電源が投入されたことにより前記設備機器への制御信号の出力がロックされたものと判断させるために前記設備機器制御サーバに送信する状態信号入力モジュールとを有することを特徴とする。
【００２２】
また、この設備監視制御システムは、前記ロック回路が、前記制御信号出力モジュールへ供給されていた電源が切断されると、電源が切断された状態に遷移する補助リレーを有し、前記設備機器制御装置は、前記補助リレーの電源が切断されると閉路する第２状態入力回路をさらに有し、前記状態信号入力モジュールは、前記第１状態入力回路が閉路されると前記キープリレーに電源が投入された状態であることを示す前記キープリレー状態信号を生成するとともに前記第２状態入力回路が閉路されると前記補助リレーの電源が切断された状態であることを示す補助リレー状態信号を生成し、前記キープリレーに電源が投入され且つ前記補助リレーの電源が切断されたことにより前記設備機器への制御信号の出力がロックされたものと判断させるために前記キープリレー状態信号および前記補助リレー状態信号を前記設備機器制御サーバに送信するようにしてもよい。
【００２３】
また、本発明の別の形態の設備監視制御システムは、施設内に設置された設備機器を制御する複数の設備機器制御装置と、これらの設備機器制御装置のいずれかに接続された複数の設備機器制御サーバと、これらの設備機器制御サーバにネットワークを介して接続された複数の前記設備機器の状態を統括して監視および制御する複数の中央監視制御装置とを備えたものであり、前記複数の設備機器制御サーバの中の第１設備機器制御サーバは、接続された前記設備機器に対する制御信号をいずれかの前記中央監視制御装置から取得すると当該設備機器に接続された設備機器制御装置に送信し、前記設備機器に対する制御信号の出力をロックするための出力禁止信号を、いずれかの前記中央監視制御装置から取得すると当該設備機器に接続された設備機器制御装置に送信し、前記設備機器に対する制御信号の出力のロックを解除するためのロック解除信号を、前記出力禁止信号の送信元である前記中央監視制御装置から取得すると当該設備機器に接続された前記設備機器制御装置に送信する第１制御信号送信部と、前記信号送信部から送信した前記出力禁止信号または前記ロック解除信号に対応して前記設備機器制御装置から前記設備機器制御装置の状態を示す状態信号を受信したときには前記出力禁止信号または前記ロック解除信号の送信元である前記中央監視制御装置にこの状態信号を送信する第１状態信号送信部とを有し、前記第１設備機器制御サーバに接続された第１設備機器制御装置は、前記設備機器を制御する制御信号を前記設備機器制御サーバの前記信号送信部から取得すると、この制御信号を前記設備機器に出力する第１制御信号出力モジュールと、前記出力禁止信号を前記設備機器制御サーバから取得すると電源が投入された状態に遷移し、前記ロック解除信号を前記設備機器制御サーバから取得すると電源が切断された状態に遷移するキープリレーと、前記キープリレーの電源が投入された状態に遷移すると前記制御信号出力モジュールへ供給されていた電源を切断して前記設備機器への制御信号の出力をロックさせるとともに自装置内の補助リレーの電源を切断し、前記キープリレーの電源が切断された状態に遷移すると前記制御信号出力モジュールへの電源を投入して前記設備機器への制御信号の出力を可能にするとともに前記補助リレーの電源を投入する第１ロック回路と、前記キープリレーに電源が投入されると閉路する第１状態入力回路と、前記補助リレーの電源が切断されると閉路する第２状態入力回路と、前記補助リレーの電源が切断されると閉路する第３状態入力回路と、前記第１状態入力回路が閉路されると前記キープリレーに電源が投入された状態であることを示す前記第１の状態信号を生成するとともに前記第２状態入力回路が閉路されると前記補助リレーの電源が切断された状態であることを示す第２の状態信号を生成して前記第１設備機器制御サーバに送信する第１状態信号入力モジュールとを有し、前記第１設備機器制御サーバとは異なり、前記複数の設備機器制御装置の中の第２設備機器制御装置に接続された第２設備機器制御サーバは、接続された前記第２設備機器制御装置から前記第１設備機器制御装置の状態を示す状態信号を受信したときには前記出力禁止信号または前記ロック解除信号の送信元である前記中央監視制御装置にこの状態信号を送信する第２状態信号送信部を有し、前記第２設備機器制御装置は、前記第３状態入力回路が閉路されると前記補助リレーの電源が切断された状態であることを示す第３の状態信号を生成して前記第２設備機器制御サーバに送信する第２状態信号入力モジュールを有し、前記中央監視制御装置は、前記第１設備機器制御サーバの前記第１状態信号送信部から取得した第１の状態信号および第２の状態信号と、前記第２設備機器制御サーバの前記第２状態信号送信部から取得した第３の状態信号とを受信したときに、これらの状態信号に基づいて前記キープリレーに電源が投入され且つ前記補助リレーの電源が切断されたことにより前記設備機器への制御信号の出力がロックされたものと判断するロック状態中央判断部を有することを特徴とする。
【００２４】
また、本発明の設備機器制御プログラムは、施設内に設置された設備機器に接続されるとともに、複数の前記設備機器の状態を統括して監視および制御する中央監視制御装置に接続された設備機器制御装置に、前記設備機器を制御する制御信号を前記中央監視制御装置から取得すると、この制御信号を前記設備機器に出力する制御信号出力機能と、前記制御信号出力機能における前記設備機器への前記制御信号の出力をロックするための出力禁止信号を前記中央監視制御装置から取得すると、自装置内のキープリレーの電源を投入された状態に遷移させる第１遷移機能と、前記第１遷移機能において前記キープリレーの電源が投入された状態に遷移すると、前記制御信号出力機能を実行させる制御信号出力モジュールに供給されていた電源を切断して前記設備機器への制御信号の出力をロックさせるロック処理機能と、前記キープリレーに電源が投入されると自装置内の第１状態入力回路を閉路する第１回路制御機能と、前記第１回路制御機能により前記第１状態入力回路が閉路されると、前記キープリレーに電源が投入された状態であることを示す第１の状態信号を生成し、前記キープリレーに電源が投入されたことにより前記設備機器への制御信号の出力がロックされたものと判断させるために前記第１の状態信号を前記中央監視制御装置に送信する状態信号入力機能とを実行させることを特徴とする。
【００２５】
また、この設備機器制御プログラムは、前記ロック処理機能において、前記制御信号出力モジュールへ供給されていた電源が切断されると自装置内の補助リレーの電源を切断した状態に遷移させ、前記補助リレーの電源が切断されると自装置内の第２状態入力回路を閉路する第２回路制御機能をさらに有し、前記状態信号入力機能では、前記第１状態入力回路が閉路されたときに前記キープリレーに電源が投入された状態であることを示す前記キープリレー状態信号を生成するとともに前記第２状態入力回路が閉路されたときにこの補助リレーの電源が切断された状態であることを示す第２の状態信号を生成し、前記キープリレーに電源が投入され且つ前記補助リレーの電源が切断されたことにより前記設備機器への制御信号の出力がロックされたものと判断させるために前記第１の状態信号および前記第２の状態信号を前記中央監視制御装置に送信するようにしてもよい。
【００２６】
また、本発明の別の形態の設備機器制御プログラムは、施設内に設置された複数の設備機器を制御する前記各設備機器に対応した設備機器制御装置に接続されるとともに、前記複数の設備機器の状態を統括して監視および制御する複数の中央監視制御装置にネットワークを介して接続された設備機器制御サーバに、一の前記中央監視制御装置において選択された前記設備機器制御装置から前記設備機器への制御信号の出力をロックするための出力禁止信号を、前記中央監視制御装置から取得すると前記選択された設備機器制御装置に送信し、前記選択された設備機器制御装置から前記設備機器への制御信号の出力のロックを解除するためのロック解除信号を、前記出力禁止信号の送信元である前記中央監視制御装置から取得すると前記設備機器制御装置に送信する信号送信機能と、前記信号送信機能で送信した前記出力禁止信号または前記ロック解除信号に対応して前記設備機器制御装置から前記設備機器制御装置の状態を示す状態信号を受信すると、この状態信号に基づいて前記設備機器制御装置から前記設備機器への制御信号の出力がロックされているか否かを判断するロック状態判断機能と、前記ロック状態判断機能における判断結果を前記出力禁止信号または前記ロック解除信号の送信元である前記中央監視制御装置に送信するロック状態送信機能とを実行させることを特徴とする。
【発明の効果】
【００２７】
本発明の設備機器制御装置、設備機器制御サーバ、設備機器制御方法、設備監視制御システム、および制御機器制御プログラムによれば、中央監視制御装置の保守点検時における各機器制御装置での誤動作を簡易な操作で防止することができる。
【発明を実施するための最良の形態】
【００２８】
《第1実施形態》
本発明の第１実施形態では、施設内に設置された受電用開閉器等の複数の設備機器を統括して管理する中央監視制御装置の保守点検を行うときに、この中央監視制御装置に接続され受電用開閉器を遠隔で制御する各遠隔制御装置において受電用開閉器を制御する制御信号を受け付けないようにロックすることにより、遠隔制御装置で誤動作が起こらないように設定する設備監視制御システムについて説明する。
【００２９】
〈第１実施形態による設備監視制御システムの構成〉
本実施形態による設備監視制御システムの構成について、図１を参照して説明する。
【００３０】
本実施形態による設備監視制御システムは、中央監視制御装置としてのヒューマンインタフェースステーション（ＨＩＳ）１と、このＨＩＳ１に接続された設備機器制御装置としての遠隔制御装置（ＲＳ）１１０とにより構成されている。なお、図１においては遠隔制御装置（ＲＳ）は１台のみ記載されているが、実際には複数の遠隔制御装置（ＲＳ）がＨＩＳ１に接続されている。
【００３１】
ＨＩＳ１は、監視員により操作されることにより、受電用開閉器に対する開閉制御信号や制御対象の受電用開閉器への開閉を制御する開閉制御信号を出力させないためのＤＯ禁止信号をＲＳ１１０に送信する。
【００３２】
またＨＩＳ１は、後述するＲＳ１１０から受信する情報に基づいて、制御対象の受電用開閉器への開閉制御信号の出力がロックされているか否かを判断し、内蔵する表示モニタに判断結果を表示する。
【００３３】
ＲＳ１１０は、施設内に設置された設備機器である受電用開閉器（図示せず）を遠隔で制御する装置であり、プログラマブルコントローラ（ＰＬＣ）１１１と、信号入力用モジュール（ＤＩ）１１２と、信号出力用モジュール（ＤＯ）１１３と、信号出力用モジュール（ＤＯ）１１４と、キープリレー１１５と、ロック回路１１６と、第１状態入力回路１１７とを有する。
【００３４】
ＰＬＣ１１１は、ＨＩＳ１に接続され、ＨＩＳ１から送信される開閉制御信号またはＤＯ禁止信号を受信したときには、この開閉制御信号またはＤＯ禁止信号を受け付けてＤＯ１１３に出力する。
【００３５】
また、ＰＬＣ１１１は、後述する信号入力用モジュール（ＤＩ）１１２から取得されるキープリレー状態信号をＨＩＳ１に送信する。
【００３６】
信号入力用モジュール（ＤＩ）１１２は、後述する第１状態入力回路１１７からキープリレー１１５の電源のＯＮ／ＯＦＦ状態を示すキープリレー状態信号を入力し、ＰＬＣ１１１に出力する。
【００３７】
信号出力用モジュール（ＤＯ）１１３は、ＨＩＳ１からＰＬＣ１１１を介して開閉制御信号を取得したときには、この開閉制御信号を制御対象の受電用開閉器に出力する。
【００３８】
信号出力用モジュール（ＤＯ）１１４は、ＨＩＳ１からＰＬＣ１１１を介してＤＯ禁止信号を取得したときには、キープリレー１１５の電源をＯＮにさせるためのキープリレーＯＮ信号をキープリレー１１５に出力する。
【００３９】
キープリレー１１５は、ＤＯ１１４からキープリレーＯＮ信号を取得したときには電源がＯＮに遷移し、電源をＯＦＦにさせるためのキープリレーＯＦＦ信号を取得するまでキープし、それ以外のときには電源をＯＦＦにする。
【００４０】
ロック回路１１６は、ＤＯ１１３に電力を供給するＤＯ電源１１６Ａと、キープリレー１１５の電源がＯＮに遷移するとＤＯ電源１１６ＡからＤＯ１１３への電力を遮断して電力供給をロックするために開路するｂ接点１１６Ｂとを有する。
【００４１】
第１状態入力回路１１７は、キープリレー１１５の電源がＯＮに遷移すると閉路し、キープリレー１１５の電源がＯＮに遷移したことを示すキープリレー状態信号をＤＩ１１２に入力させる第１ａ接点１１７Ａを有する。
【００４２】
〈第１実施形態による設備監視制御システムの動作〉
次に、本実施形態による設備監視制御システムの動作について説明する。
【００４３】
まず、監視員の操作によりＨＩＳ１の表示モニタ上で、ＨＩＳ１の電源の遮断による誤動作を防止したい設備機器である受電用開閉器が選択され、選択された受電用開閉器を制御する遠隔制御装置に対して受電用開閉器へ開閉制御信号を出力させないためのＤＯ禁止信号がＨＩＳ１から送信される。
【００４４】
ここでは、誤作動を防止したい受電用開閉器として、ＲＳ１１０で制御されている受電用開閉器が選択されたものとする。
【００４５】
ＤＯ禁止信号が送信された遠隔制御装置の動作を、図２のフローチャートに示す。
【００４６】
ＨＩＳ１からＤＯ禁止信号が送信されると、ＲＳ１１０のＰＬＣ１１１で受信され（Ｓ１）、受信されたＤＯ禁止信号がＤＯ１１４に出力される（Ｓ２）。
【００４７】
ＤＯ１１４でＤＯ禁止信号が取得されると、キープリレー１１５の電源をＯＮにさせるためのモメンタリＯＮ／ＯＦＦ信号による電源ＯＮ信号がキープリレー１１５に出力される（Ｓ３）。
【００４８】
キープリレー１１５では、電源ＯＮ信号が取得されると電源ＯＮ状態に遷移してキープされる（Ｓ４）。
【００４９】
キープリレー１１５が電源ＯＮ状態に遷移するとロック回路１１６のｂ接点１１６Ｂが開路され（Ｓ５）、ＤＯ電源１１６ＡからＤＯ１１３に供給されていた電源が遮断される。
【００５０】
ＤＯ１１３では、ＤＯ電源１１６Ａから供給される電源が遮断されると、外部からの開閉制御信号の受け付けおよび制御対象の受電用開閉器への出力がロックされる（Ｓ６）。
【００５１】
また、ステップＳ４においてキープリレー１１５が電源ＯＮ状態に遷移すると第１状態入力回路１１７の第１ａ接点１１７Ａが閉路され（Ｓ７）、キープリレー１１５の電源がＯＮに遷移したことを示すキープリレー状態信号がＤＩ１１２に入力される（Ｓ８）。
【００５２】
ＤＩ１１２でキープリレー１１５の電源がＯＮに遷移したことを示すキープリレー状態信号が入力されると、このキープリレー状態信号がＤＩ１１２からＰＬＣ１１１に出力される。
【００５３】
ＰＬＣ１１１でこのキープリレー状態信号が受信されると、ＨＩＳ１に送信される（Ｓ９）。
【００５４】
ＨＩＳ１では、ＲＳ１１０からキープリレー状態信号が受信されると、このキープリレー状態信号に基づいてキープリレー１１５の電源がＯＮであることにより制御対象の受電用開閉器への開閉制御信号の出力がＤＯ１１３においてロックされていると判断されてこの判断結果が表示モニタに表示され、監視員により確認される。
【００５５】
また、ＨＩＳ１の保守点検が終了しＤＯ１１３のロック状態が解除される際は、ロックを解除するためのＤＯロック解除信号がＨＩＳ１からＲＳ１１０に送信され、ＲＳ１１０において図２のフローチャートと同様の順序で処理が行われることにより、ステップＳ３において電源ＯＦＦ信号がキープリレー１１５に出力されてキープリレー１１５がＯＦＦ状態に遷移し、第１ａ接点１１７Ａが開路されるとともにｂ接点１１６Ｂが閉路されてＤＯ１１３のロックが解除され、さらにキープリレー１１５の電源がＯＦＦであることがＨＩＳ１に送信されてＨＩＳ１においてＤＯ１１３のロックが解除されたと判断され、表示モニタにロックが解除状態であることが表示されて監視員により確認される。
【００５６】
以上の第１実施形態の設備監視制御システムによれば、中央監視制御装置であるＨＩＳ１からの操作により制御対象の受電用開閉への開閉制御信号の出力が制御されるとともに、この制御状態がＨＩＳ１にフィードバックされるため、監視員はＨＩＳ１を操作するのみで制御対象の受電用開閉器への開閉制御信号の出力を制御することが可能であるとともに制御状態の確認も行うことができる。
【００５７】
そのため、ＨＩＳ１の保守点検時にＨＩＳ１の電源を遮断および再投入する際に制御対象の受電用開閉への開閉制御信号の出力が禁止されることにより、ＲＳ１１０における誤動作を確実に防止することができる。
【００５８】
《第２実施形態》
本発明の第２実施形態では、複数のＨＩＳ１〜３とＲＳ１１０とがネットワーク１００およびサーバステーション（ＳＶＳ）１０を介して接続された設備監視制御システムについて説明する。
【００５９】
〈第２実施形態による設備監視制御システムの構成〉
本実施形態による設備監視制御システムの構成について、図３を参照して説明する。
【００６０】
本実施形態による設備監視制御システムは、ヒューマンインタフェースステーション（ＨＩＳ）１〜３と、ＨＩＳ１〜３にネットワーク１００を介して接続された設備機器制御サーバとしてのサーバステーション（ＳＶＳ）１０と、ＳＶＳ１０に接続された遠隔制御装置（ＲＳ）１１０とにより構成されている。なお、図３においてはサーバステーション（ＳＶＳ）、および遠隔制御装置（ＲＳ）はそれぞれ１台のみ記載されているが、実際にはこれらの装置は複数台接続されていてもよい。
【００６１】
ＨＩＳ１〜３の機能は、第１実施形態で説明したＨＩＳ１の機能と同様であるため詳細な説明は省略する。
【００６２】
ＲＳ１１０の機能は、通信先がＨＩＳ１に代わってＳＶＳ１０であることを除いては、第１実施形態と同様であるため詳細な説明は省略する。
【００６３】
ＳＶＳ１０はネットワーク１００を介してＨＩＳ１〜３に接続され、ＨＩＳ１〜３のいずれかから受電用開閉器に対する開閉制御信号またはＤＯ禁止信号を受信したときに対象となるＲＳを判定してこれらの信号を送信するとともに、送信履歴を記憶するＣＰＵ１１と、接続されている設備機器への信号の入出力を制御するＰＬＣ１２と、接続されている設備機器から信号を入力するＤＩ１３と、接続されている設備機器へ信号を出力するＤＯ１４とを有する。
【００６４】
〈第２実施形態による設備監視制御システムの動作〉
次に、本実施形態による設備監視制御システムの動作について説明する。
【００６５】
まず、監視員の操作によりＨＩＳ１の表示モニタ上で、ＨＩＳ１の電源の遮断による誤動作を防止したい設備機器である受電用開閉器が選択され、選択された受電用開閉器を制御する遠隔制御装置に接続されたＳＶＳ１０に対して受電用開閉器へ開閉制御信号を出力させないためのＤＯ禁止信号がＨＩＳ１から送信される。
【００６６】
ここでは、誤作動を防止したい受電用開閉器として、ＲＳ１１０で制御されている受電用開閉器が選択されたものとする。
【００６７】
ＤＯ禁止信号が送信されたＳＶＳ１０の動作を、図４のフローチャートに示す。
【００６８】
ＳＶＳ１０のＣＰＵ１１ではＤＯ禁止信号が受信されたか否かが監視されており（Ｓ１１）、ＨＩＳ１からＤＯ禁止信号が受信されると（Ｓ１１の「YES」）、このＤＯ禁止信号による制御対象のＲＳが特定される（Ｓ１２）。ここでは、制御対象のＲＳとしてＲＳ１１０が特定される。
【００６９】
ＣＰＵ１１において制御対象のＲＳが特定されると、このＤＯ禁止信号の送信元のＨＩＳ１および送信先のＲＳ１１０の情報が記憶され（Ｓ１３）、特定されたＲＳ１１０に受信したＤＯ禁止信号が送信される（Ｓ１４）。
【００７０】
ＤＯ禁止信号が受信されたときのＲＳ１１０における処理は、図２のフローチャートのステップＳ１〜ステップＳ９と同様であるため、詳細な説明は省略する。
【００７１】
ステップＳ８においてキープリレー１１５の電源がＯＮに遷移したことを示すキープリレー状態信号がＤＩ１１２に入力されさらにＰＬＣ１１１に出力されると、このキープリレー状態信号がＳＶＳ１０のＣＰＵ１１に送信される。
【００７２】
ＣＰＵ１１ではキープリレー状態信号が受信されたか否かが監視されており（Ｓ１５）、キープリレー状態信号が受信されたと判断されると（Ｓ１５の「YES」）、このキープリレー状態信号に基づいてキープリレー１１５の電源がＯＮであることにより制御対象の受電用開閉器への開閉制御信号の出力がロックされていると判断されロック状態信号が生成される（Ｓ１６）。
【００７３】
また、ＣＰＵ１１では、この受信されたキープリレー状態信号の送信元がＲＳ１１０であることから、ステップＳ１３で記憶された情報に基づいて、ＲＳ１１０に送信されたＤＯ禁止信号の送信元であるＨＩＳ１がロック状態信号の送信先として特定される（Ｓ１７）。
【００７４】
ＣＰＵ１１においてロック状態信号の送信先としてＨＩＳ１が特定されると、受信したロック状態信号がＨＩＳ１に送信される（Ｓ１８）。
【００７５】
ＨＩＳ１では、ＳＶＳ１０のＣＰＵ１１からロック状態信号が受信されると、ＲＳ１１０のＤＯ１１３がロック状態であることが表示モニタに表示され、監視員により確認される。
【００７６】
次に、ＨＩＳ１の保守点検が終了しＤＯ１１３のロック状態が解除される際に、ロックを解除するためのＤＯロック解除信号がＨＩＳ１からＳＶＳ１０に送信される。
【００７７】
ＳＶＳ１０のＣＰＵ１１ではＤＯロック解除信号が受信されたか否かが監視されており（Ｓ１９）、ＤＯロック解除信号が受信されたと判断されると（Ｓ１９の「YES」）、ステップＳ１３で記憶された情報に基づいて、この受信されたＤＯロック解除信号の送信元がステップＳ１１でロック禁止信号が受信されたときの送信元と同一であるか否かが判断される（Ｓ２０）。
【００７８】
ここではＤＯロック解除信号の送信元とロック禁止信号の送信元とが同じＨＩＳ１であると判断され（Ｓ２０の「YES」）、当該ロック禁止信号を送信したときの送信先であるＲＳ１１０に、受信したＤＯロック解除信号が送信され、ロック解除処理が実行される（Ｓ２１）。
【００７９】
ロック解除処理が実行されるとＲＳ１１０では、第１実施形態においてＤＯロック解除信号が受信されたときと同様に電源ＯＦＦ信号がキープリレー１１５に出力されてキープリレーがＯＦＦ状態に遷移し、第１ａ接点１１７Ａが開路されるとともにｂ接点１１６Ｂが閉路されてＤＯ１１３のロックが解除され、さらにロックが解除されたことを示す解除状態信号がＲＳ１１０からＳＶＳ１０のＣＰＵ１１に送信されてＣＰＵ１１においてＤＯ１１３のロックが解除されたと判断され、ＨＩＳ１の表示モニタにロックが解除状態であることが表示されて監視員により確認される。
【００８０】
なお、ステップＳ２０において、ＣＰＵ１１で受信されたＤＯロック解除信号の送信元がステップＳ１１でロック禁止信号が受信されたときの送信元であるＨＩＳ１ではなくＨＩＳ２またはＨＩＳ３であると判断されたとき（Ｓ２０の「NO」）は、ＤＯロックを解除する処理は行われず、ステップＳ１９に戻ってさらにＤＯロック解除信号が受信されるまで監視される。
【００８１】
以上の第２実施形態の設備監視制御システムによれば、監視員はＨＩＳを操作するのみで制御対象の受電用開閉器への開閉制御信号の出力を制御することができ、この制御状態の確認も行うことも可能であるとともに、複数のＨＩＳが接続された状態でもＤＯ禁止信号を送信したＨＩＳを特定して処理を実行するため、他のＨＩＳから送信される信号によりＲＳにおいて誤作動を起こすことを防止することができる。
【００８２】
なお、本実施形態においては、ＤＯ１１３において制御対象の受電用開閉器への開閉制御信号の出力がロックされているか否かの判断をＣＰＵ１１で実行する場合について説明したが、この判断をＨＩＳ１で行うように設定してもよい。
【００８３】
《第３実施形態》
本発明の第３実施形態においては、ＣＰＵ１１におけるＤＯ１１３がロック状態にあるか否かの判断を、より正確に実行する設備監視制御システムについて説明する。
【００８４】
〈第３実施形態による設備監視制御システムの構成〉
本実施形態による設備監視制御システムの構成について、図５を参照して説明する。
【００８５】
本実施形態による設備監視制御システムは、中央監視制御装置としてのヒューマンインタフェースステーション（ＨＩＳ）１〜３と、ＨＩＳ１〜３にネットワーク１００を介して接続されたサーバステーション（ＳＶＳ）１０と、ＳＶＳ１０に接続された遠隔制御装置（ＲＳ）１１０とにより構成されている。なお、図５においてはサーバステーション（ＳＶＳ）、および遠隔制御装置（ＲＳ）はそれぞれ１台のみ記載されているが、実際にはこれらの装置は複数台接続されていてもよい。
【００８６】
ＨＩＳ１〜３およびＳＶＳ１０の機能は、第２実施形態で説明した各装置の機能と同様であるため詳細な説明は省略する。
【００８７】
ＲＳ１１０は、プログラマブルコントローラ（ＰＬＣ）１１１と、信号入力用モジュール（ＤＩ）１１２と、信号出力用モジュール（ＤＯ）１１３と、信号出力用モジュール（ＤＯ）１１４と、キープリレー１１５と、ロック回路１１６と、第１状態入力回路１１７と、第２状態入力回路１１８とを有する。
【００８８】
このうち、ロック回路１１６および第２状態入力回路１１８を除いては、第１実施形態および第２実施形態のＲＳ１１０と同様であるため、同一部分の詳細な説明は省略する。
【００８９】
ロック回路１１６は、ＤＯ１１３に電力を供給するＤＯ電源１１６Ａと、キープリレー１１５の電源がＯＮに遷移するとＤＯ電源１１６ＡからＤＯ１１３への電力を遮断して電力供給をロックするために開路するｂ接点１１６Ｂと、ＤＯ電源１１６Ａから電源が供給されているときには電源がＯＮ状態でありｂ接点１１６Ｂが開路したときには電源がＯＦＦ状態に遷移してｂ接点が閉路するまでキープする補助リレー１１６Ｃとを有する。
【００９０】
第２状態入力回路１１８は、補助リレー１１６Ｃの電源がＯＦＦ状態に遷移すると閉路し、補助リレー１１６Ｃの電源がＯＦＦに遷移したことを示す補助リレー状態信号をＤＩ１１２に入力させる第２ａ接点１１８Ａを有する。
【００９１】
〈第３実施形態による設備監視制御システムの動作〉
次に、本実施形態による設備監視制御システムの動作について説明する。
【００９２】
まず、監視員の操作によりＨＩＳ１の表示モニタ上で、ＨＩＳ１の電源の遮断による誤動作を防止したい設備機器である受電用開閉器が選択され、選択された受電用開閉器を制御する遠隔制御装置に接続されたＳＶＳ１０に対して受電用開閉器へ開閉制御信号を出力させないためのＤＯ禁止信号がＨＩＳ１から送信される。
【００９３】
ここでは、誤作動を防止したい受電用開閉器として、ＲＳ１１０で制御されている受電用開閉器が選択されたものとする。
【００９４】
ＤＯ禁止信号が送信された際のＳＶＳ１０の動作は、第２実施形態において図４のフローチャートのステップＳ１１〜Ｓ１７で説明した処理と同様であるため、詳細な説明は省略する。
【００９５】
図４のステップＳ１４においてＤＯ禁止信号が受信されたときのＲＳ１１０の処理について図６のフローチャートを参照して説明する。
【００９６】
図６のフローチャートのステップＳ３１〜Ｓ３５の処理は、図２におけるステップＳ１〜Ｓ５の処理と同様であるため、詳細は説明は省略する。
【００９７】
ステップＳ３５においてロック回路１１６のｂ接点１１６Ｂが開路されてＤＯ電源１１６ＡからＤＯ１１３に供給されていた電源が遮断されると、常時電源がＯＮ状態である補助リレー１１６Ｃが電源ＯＦＦ状態に遷移する（Ｓ３６）。
【００９８】
ＤＯ１１３では、ＤＯ電源１１６Ａから供給される電源が遮断されると、外部からの開閉制御信号の受け付けおよび制御対象の受電用開閉器への出力がロックされる（Ｓ３７）。
【００９９】
また、ステップＳ３６において補助リレー１１６Ｃが電源ＯＦＦ状態に遷移すると第２状態入力回路１１８の第２ａ接点１１８Ａが閉路され（Ｓ３８）、補助リレー１１６Ｃの電源がＯＦＦに遷移したことを示す補助リレー状態信号がＤＩ１１２に入力される（Ｓ３９）。
【０１００】
また、ステップＳ３４においてキープリレー１１５が電源ＯＮ状態に遷移すると第１状態入力回路１１７の第１ａ接点１１７Ａが閉路され（Ｓ４０）、キープリレー１１５の電源がＯＮに遷移したことを示すキープリレー状態信号がＤＩ１１２に入力される（Ｓ４１）。
【０１０１】
ＤＩ１１２でキープリレー１１５の電源がＯＮに遷移したことを示すキープリレー状態信号と、補助リレー１１６Ｃの電源がＯＦＦに遷移したことを示す補助リレー状態信号とが入力されると、このキープリレー状態信号および補助リレー状態信号がＤＩ１１２からＰＬＣ１１１に出力される。
【０１０２】
ＰＬＣ１１１でこのキープリレー状態信号および補助リレー状態信号が受信されると、ＳＶＳ１０のＣＰＵ１１に送信される（Ｓ４２）。
【０１０３】
ＣＰＵ１１では受信したキープリレー状態信号および補助リレー状態信号により制御対象の受電用開閉器への開閉制御信号の出力がロックされているか否かが判断される。
【０１０４】
この判断は、ＣＰＵ１１に予め記憶されている図７のテーブルに基づいて行われる。
【０１０５】
ここでは、ステップＳ３９において補助リレー状態信号により補助リレー１１６Ｃが電源ＯＦＦ状態に遷移したことが入力され、ステップＳ４１においてキープリレー１１５が電源ＯＮ状態に遷移したことが入力されたため、図７のテーブルに基づいてＤＯ１１３がロックされた状態であると判断される。
【０１０６】
ＣＰＵ１１においてＤＯ１１３がロックされた状態であると判断されると、ＨＩＳ１に対して制御対象の受電用開閉器への開閉制御信号の出力がロックされていることを示すロック状態信号が送信される。
【０１０７】
ＨＩＳ１では、ＳＶＳ１０のＣＰＵ１１からロック状態信号が受信されると、ＲＳ１１０のＤＯ１１３がロック状態であることが表示モニタに表示され、監視員により確認される。
【０１０８】
またＣＰＵ１１において、キープリレー１１５が電源ＯＮ状態に遷移した信号が入力されたにもかかわらず補助リレー１１６Ｃが電源ＯＮのままの信号が入力されたときにはロック回路の異常であると判断され、キープリレー１１５が電源ＯＦＦ状態である信号が入力され補助リレー１１６Ｃが電源ＯＮである信号が入力されたときにはＤＯ１１３のロックが解除された状態であると判断され、キープリレー１１５が電源ＯＦＦ状態のままであるにもかかわらず補助リレー１１６Ｃが電源ＯＦＦに遷移した信号が入力されたときにはＤＯ電源１１６Ａの異常であると判断され、これらの状態がＨＩＳ１に送信され表示モニタに表示される。
【０１０９】
ＨＩＳ１の保守点検が終了しＤＯ１１３のロック状態が解除される際のＳＶＳ１０における処理は、第２実施形態で図４のフローチャートのステップＳ１８〜Ｓ２１で説明した処理と同様であるため、詳細な説明は省略する。
【０１１０】
また、ＤＯロック解除が実行されるときのＳＶＳ１０およびＲＳ１１０における処理は、ＣＰＵ１１において、キープリレー１１５から入力された信号と、補助リレー１１６Ｃから入力された信号とから、図７のテーブルを参照してＤＯ１１３がロック解除された状態であるか否かが判断されることを除いては、第２実施形態と同様であるため詳細な説明は省略する。
【０１１１】
以上の第３実施形態の設備監視制御システムによれば、ＣＰＵ１１は、キープリレー１１５から入力された信号だけではなく、補助リレー１１６Ｃから入力される信号も参照してＤＯ１１３がロックされた状態であるか否かを判断するため、ロック回路の異常やＤＯ電源の異常も検知することができ、より正確にＤＯ１１３の状態をＨＩＳで把握することができる。
【０１１２】
なお、本実施形態においては、ＤＯ１１３において制御対象の受電用開閉器への開閉制御信号の出力がロックされているか否かの判断をＣＰＵ１１で実行する場合について説明したが、この判断をＨＩＳ１で行うように設定してもよい。
【０１１３】
《第４実施形態》
本発明の第４実施形態においては、ＣＰＵ１１におけるＤＯ１１３がロック状態にあるか否かの判断を、第３実施形態における場合よりもさらに正確に実行する設備監視制御システムについて説明する。
【０１１４】
〈第４実施形態による設備監視制御システムの構成〉
本実施形態による設備監視制御システムの構成について、図８を参照して説明する。
【０１１５】
本実施形態による設備監視制御システムは、中央監視制御装置としてのヒューマンインタフェースステーション（ＨＩＳ）１〜３と、ＨＩＳ１〜３にネットワーク１００を介して接続されたサーバステーション（ＳＶＳ）１０および２０と、ＳＶＳ１０に接続された遠隔制御装置（ＲＳ）１１０と、ＳＶＳ２０に接続された遠隔制御装置（ＲＳ）２１０とにより構成されている。なお、図７においては各サーバステーション（ＳＶＳ）に遠隔制御装置（ＲＳ）がそれぞれ１台のみ接続された状態が記載されているが、実際にはこの遠隔制御装置（ＲＳ）は複数台接続されていてもよい。
【０１１６】
ＨＩＳ１〜３、ＳＶＳ１０、およびＲＳ１１０の機能は、第３実施形態で説明した各装置の機能と同様であるため詳細な説明は省略する。
【０１１７】
また、ＳＶＳ２０の機能は、ＳＶＳ１０の機能と同様であるため詳細な説明は省略する。
【０１１８】
ＲＳ２１０は、プログラマブルコントローラ（ＰＬＣ）２１１と、信号入力用モジュール（ＤＩ）２１２と、信号出力用モジュール（ＤＯ）２１３と、第３状態入力回路２１４とを有する。
【０１１９】
ＰＬＣ２１１は、ＨＩＳ２に接続され、ＨＩＳ２から送信される開閉制御信号を受信したときには、この開閉制御信号を受け付けてＤＯ２１３に出力する。
【０１２０】
また、ＰＬＣ２１１は、後述する信号入力用モジュール（ＤＩ）２１２から取得される第３キープリレー状態信号をＨＩＳ２に送信する。
【０１２１】
信号入力用モジュール（ＤＩ）２１２は、後述する第３状態入力回路２１４から補助リレー１１６Ｃの電源のＯＮ／ＯＦＦ状態を示す第３キープリレー状態信号を入力し、ＰＬＣ２１１に出力する。
【０１２２】
信号出力用モジュール（ＤＯ）２１３は、ＨＩＳ２からＰＬＣ２１１を介して開閉制御信号を取得したときには、この開閉制御信号を制御対象の受電用開閉器に出力する。
【０１２３】
第３状態入力回路２１４は、補助リレー１１６Ｃの電源がＯＦＦ状態に遷移すると閉路し、補助リレー１１６Ｃの電源がＯＦＦに遷移したことを示す第３キープリレー状態信号をＤＩ２１２に入力させる第３ａ接点２１４Ａを有する。
【０１２４】
〈第４実施形態による設備監視制御システムの動作〉
次に、本実施形態による設備監視制御システムの動作について説明する。
【０１２５】
まず、監視員の操作によりＨＩＳ１の表示モニタ上で、ＨＩＳ１の電源の遮断による誤動作を防止したい設備機器である受電用開閉器が選択され、選択された受電用開閉器を制御する遠隔制御装置に接続されたＳＶＳ１０に対して受電用開閉器へ開閉制御信号を出力させないためのＤＯ禁止信号がＨＩＳ１から送信される。
【０１２６】
ここでは、誤作動を防止したい受電用開閉器として、ＲＳ１１０で制御されている受電用開閉器が選択されたものとする。
【０１２７】
ＤＯ禁止信号が送信された際のＳＶＳ１０の動作は図４のフローチャートのステップＳ１１〜Ｓ１５で説明した処理については第２実施形態と同様であるため詳細な説明は省略するが、本実施形態においては、ステップＳ１５においてＣＰＵ１１でキープリレー状態信号が受信されるとＨＩＳ１に送信され、ＤＯ１１３の開閉制御信号の出力がロックされているか否かの判断はＨＩＳ１で行われる。
【０１２８】
また、ＲＳ１１０の動作は第３実施形態において図６のフローチャートのステップＳ３１〜Ｓ４２で説明した処理と同様であるため、詳細な説明は省略する。
【０１２９】
本実施形態においては、図６のステップＳ３６において補助リレー１１６Ｃが電源ＯＦＦ状態に遷移すると、第２状態入力回路１１８の第２ａ接点１１８Ａに加えて、ＲＳ１１０とは別のサーバステーションであるＳＶＳ２０に接続されたＲＳ２１０の第３状態入力回路２１４の第３ａ接点２１４Ａも閉路され、補助リレー１１６Ｃの電源がＯＦＦに遷移したことを示す第３キープリレー状態信号がＤＩ２１２に入力される。
【０１３０】
ＤＩ２１２で補助リレー１１６Ｃの電源がＯＦＦに遷移したことを示す第３キープリレー状態信号が入力されると、この第３キープリレー状態信号がＤＩ２１２からＰＬＣ２１１に出力される。
【０１３１】
ＰＬＣ２１１でこの第３キープリレー状態信号が受信されると、ＳＶＳ２０のＣＰＵ２１に送信される。
【０１３２】
ＣＰＵ２１で受信した第３キープリレー状態信号はＨＩＳ１に送信され、ＨＩＳ１においてＣＰＵ１１から受信したキープリレー状態信号および補助リレー状態信号と、ＣＰＵ２１から受信した第３キープリレー状態信号とにより制御対象の受電用開閉器への開閉制御信号の出力がロックされているか否かが判断される。
【０１３３】
この判断は、ＨＩＳ１に予め記憶されている図９のテーブルに基づいて行われる。
【０１３４】
ここでは、補助リレー状態信号により補助リレー１１６Ｃが電源ＯＦＦ状態に遷移したことが入力され、キープリレー１１５が電源ＯＮ状態に遷移したことが入力され、さらに第３キープリレー状態信号により補助リレー１１６Ｃが電源ＯＦＦ状態に遷移したことが入力されたため、図９のテーブルに基づいてＤＯ１１３がロックされた状態であると判断される。
【０１３５】
ＨＩＳ１においてＤＯ１１３がロックされた状態である判断されると、この判断結果が表示モニタに表示され、監視員により確認される。
【０１３６】
またＨＩＳ１において、キープリレー１１５が電源ＯＮ状態に遷移した信号が入力されたにもかかわらず補助リレー１１６Ｃが電源ＯＮのままの補助リレー状態信号または第３キープリレー状態信号が入力されたときおよびキープリレー１１５が電源ＯＦＦ状態に遷移した信号が入力され補助リレー状態信号において補助リレー１１６Ｃが電源ＯＮ状態に遷移した信号が入力されたにもかかわらず第３キープリレー状態信号において補助リレー１１６Ｃが電源ＯＦＦのままである信号が入力されたときにはロック回路またはいずれかの状態入力回路の異常であると判断され、キープリレー１１５が電源ＯＦＦ状態である信号が入力され補助リレー１１６Ｃが電源ＯＮである信号が補助リレー状態信号および第３キープリレー状態信号により入力されたときにはＤＯ１１３のロックが解除された状態であると判断され、キープリレー１１５が電源ＯＦＦ状態のままであるにもかかわらず補助リレー１１６Ｃが電源ＯＦＦに遷移した信号が補助リレー状態信号により入力されたときにはＤＯ電源１１６Ａの異常であると判断され、これらの状態がＨＩＳ１に送信され表示モニタに表示される。
【０１３７】
また、ＤＯロック解除が実行されるときのＨＩＳ１、ＳＶＳ１０、およびＲＳ１１０における処理は、ＨＩＳ１において、キープリレー１１５から入力されたキープリレー状態信号と、補助リレー１１６Ｃから入力された補助リレー状態信号および第３キープリレー状態信号とから、図９のテーブルを参照してＤＯ１１３がロック解除された状態であるか否かが判断されることを除いては、第２実施形態および第３実施形態と同様であるため詳細な説明は省略する。
【０１３８】
以上の第４実施形態の設備監視制御システムによれば、ＨＩＳ１は、ＲＳ１１０内に入力された状態信号だけではなく、ＲＳ１１０が接続されているＳＶＳ１０とは別のＳＶＳ２０に接続されたＲＳ２１０内に入力された状態信号も参照してＤＯ１１３がロックされた状態であるか否かを判断するため、ロック回路や状態入力回路の異常やＤＯ電源の異常も検知することができ、より正確にＤＯ１１３の状態をＨＩＳで把握することができる。
【０１３９】
また、上記第１実施形態〜第４実施形態のＲＳの機能構成をプログラム化してコンピュータに組み込むことにより、当該コンピュータをＲＳとして機能させる設備機器制御プログラムを構築することも可能である。
【０１４０】
また、上記第２実施形態〜第４実施形態のＳＶＳの機能構成をプログラム化してコンピュータに組み込むことにより、当該コンピュータをＳＶＳとして機能させる設備機器制御プログラムを構築することも可能である。
【図面の簡単な説明】
【０１４１】
【図１】本発明の第１実施形態による設備監視制御システムの構成を示すブロック図である。
【図２】本発明の第１実施形態による設備監視制御システムの遠隔制御装置の動作を示すフローチャートである。
【図３】本発明の第２実施形態による設備監視制御システムの構成を示すブロック図である。
【図４】本発明の第２実施形態による設備監視制御システムのサーバステーションの動作を示すフローチャートである。
【図５】本発明の第３実施形態による設備監視制御システムの構成を示すブロック図である。
【図６】本発明の第３実施形態による設備監視制御システムの遠隔制御装置の動作を示すフローチャートである。
【図７】本発明の第３実施形態による設備監視制御システムのサーバステーションに記憶されているテーブルを示す表である。
【図８】本発明の第４実施形態による設備監視制御システムの構成を示すブロック図である。
【図９】本発明の第４実施形態による設備監視制御システムのヒューマンインタフェースステーションに記憶されているテーブルを示す表である。
【符号の説明】
【０１４２】
１〜３…ＨＩＳ
１０…ＳＶＳ
１１…ＣＰＵ
１２…ＰＬＣ
１３…ＤＩ
１４…ＤＯ
２０…ＳＶＳ
２１…ＣＰＵ
１００…ネットワーク
１１０…ＲＳ
１１１…ＰＬＣ
１１２…ＤＩ
１１３…ＤＯ
１１４…ＤＯ
１１５…キープリレー
１１６…ロック回路
１１６Ａ…ＤＯ電源
１１６Ｂ…ｂ接点
１１６Ｃ…補助リレー
１１７…第１状態入力回路
１１７Ａ…第１ａ接点
１１８…第２状態入力回路
１１８Ａ…第２ａ接点
２１０…ＲＳ
２１１…ＰＬＣ
２１２…ＤＩ
２１３…ＤＯ
２１４…第３状態入力回路
２１４Ａ…第３ａ接点
【図１】
2009110071.tif 000003
【図２】
2009110071.tif 000004
【図３】
2009110071.tif 000005
【図４】
2009110071.tif 000006
【図５】
2009110071.tif 000007
【図６】
2009110071.tif 000008
【図７】
2009110071.tif 000009
【図８】
2009110071.tif 000010
【図９】
2009110071.tif 000011